(57)【要約】【課題】ＲＴＰパケットを一斉同報するＩＰＰＢＸのコスト削減を目的とする。【解決手段】第１と第２の被ページングＩＰ電話機９〜１３とページングＩＰ電話機８とＩＰＰＢＸ１とを有するＩＰＰＢＸシステムにおいて、ＩＰＰＢＸは、ページングＩＰ電話機からの指示により、ページングＩＰ電話機から入力されるＲＴＰ音声データを第１の被ページングＩＰ電話機に対して送出するようにしたものであり、第１の被ページングＩＰ電話機が入力したＲＴＰ音声データを第２の被ページングＩＰ電話機に送出するようにすれば、ＩＰＰＢＸ側の送信ＶｏＩＰゲートウェイを減らしてＩＰＰＢＸのコストを低減することができる。【選択図】図１
2007134861.tif 000002
【特許請求の範囲】
【請求項１】
第１と第２の被ページングＩＰ電話機とページング電話機とＩＰＰＢＸとを有するＩＰＰＢＸシステムであって、前記ＩＰＰＢＸは、前記ページングＩＰ電話機からの指示により、前記ページングＩＰ電話機から入力されるＲＴＰ音声データを前記第１の被ページングＩＰ電話機に対して送出するＩＰＰＢＸシステム。
【請求項２】
前記ＩＰＰＢＸは、前記ページングＩＰ電話機からの指示により、前記第１の被ページングＩＰ電話機に対して、前記ＩＰＰＢＸから入力されるＲＴＰ音声データを音声再生することを指示する請求項１に記載のＩＰＰＢＸシステム。
【請求項３】
前記ＩＰＰＢＸは、前記ページングＩＰ電話機からの指示により、前記第１の被ページングＩＰ電話機に対して、前記ＩＰＰＢＸから入力されるＲＴＰ音声データを音声再生しつつ前記第２の被ページングＩＰ電話機に対して送出することを指示する請求項１に記載のＩＰＰＢＸシステム。
【請求項４】
前記ＩＰＰＢＸは、前記ページングＩＰ電話機からの指示により、前記第２の被ページングＩＰ電話機に対して、前記第１の被ページングＩＰ電話機から入力されるＲＴＰ音声データを音声再生することを指示する請求項３に記載のＩＰＰＢＸシステム。
【請求項５】
前記ＩＰＰＢＸは、前記ページングＩＰ電話機からの指示により、前記第２の被ページングＩＰ電話機に対して、前記第１の被ページングＩＰ電話機から入力されるＲＴＰ音声データを音声再生しつつ第３の被ページングＩＰ電話機に対して送出することを指示する請求項３に記載のＩＰＰＢＸシステム。
【請求項６】
前記第１の被ページングＩＰ電話機は、前記ＩＰＰＢＸからの指示により、前記ＩＰＰＢＸから入力されるＲＴＰ音声データを音声再生する請求項１に記載のＩＰＰＢＸシステム。
【請求項７】
前記第１の被ページングＩＰ電話機は、前記ＩＰＰＢＸからの指示により、前記ＩＰＰＢＸから入力されるＲＴＰ音声データを音声再生しつつ前記第２の被ページングＩＰ電話機に対して送出する請求項１に記載のＩＰＰＢＸシステム。
【請求項８】
前記第２の被ページングＩＰ電話機は、前記ＩＰＰＢＸからの指示により、前記第１の被ページングＩＰ電話機から入力されるＲＴＰ音声データを音声再生する前記請求項７に記載のＩＰＰＢＸシステム。
【請求項９】
前記第２の被ページングＩＰ電話機は、前記ＩＰＰＢＸからの指示により、前記第１の被ページングＩＰ電話機から入力されるＲＴＰ音声データを音声再生しつつ第３の被ページングＩＰ電話機に対して送出する請求項７に記載のＩＰＰＢＸシステム。
【請求項１０】
前記ＩＰＰＢＸは、ＴＤＭバスと、ＴＤＭスイッチと、送信側ＶｏＩＰゲートウェイと、受信側ＶｏＩＰゲートウェイとを有する請求項１乃至９のいずれか１に記載のＩＰＰＢＸシステム。
【請求項１１】
前記被ページングＩＰ電話機は、ＴＤＭバスと、ＴＤＭスイッチと、送信側ＶｏＩＰゲートウェイと、受信側ＶｏＩＰゲートウェイと、Ｄ／Ａコンバータと、Ａ／Ｄコンバータと、マイクと、スピーカとを有する請求項１乃至１０のいずれか１に記載のＩＰＰＢＸシステム。
【発明の詳細な説明】
【技術分野】
【０００１】
本発明は、ＩＰ（Ｉｎｔｅｒｎｅｔ  Ｐｒｏｔｏｃｏｌ）網でＲＴＰ（Ｒｅａｌ    Ｔｉｍｅ  Ｐｒｏｃｅｓｓｉｎｇ）パケット通信を行うＩＰＰＢＸシステム（ＩＰ構内交換機システム）に関するものである。
【背景技術】
【０００２】
従来のＩＰＰＢＸシステムにおけるＲＴＰパケット通信方法は、対象の着側端末に対し一斉同報をおこなう場合、同じデータについてＲＴＰヘッダ部分のＩＰアドレス及びＵＤＰポート番号のみを個々の着側端末に合わせて変更し、発側端末より一斉に各着側端末に対しＲＴＰパケットを送出していた（例えば特許文献１参照）。
【０００３】
また、ページング信号（同報信号）を親端末に送ると、順次、子端末、孫端末に同報信号を送ることにより、限られた同報能力でページングを実現していた（例えば特許文献２参照）。
【０００４】
以下、従来のＩＰＰＢＸシステムについて、図２、図３、図４を用いて説明する。
【０００５】
図４は、従来のＩＰＰＢＸシステムを示すブロック図である。図４において、１４はＩＰＰＢＸ（ＩＰ  Ｐｒｉｖａｔｅ  Ｂｒａｎｃｈ  ｅＸｃｈａｎｇｅ）、１５はＩＰＰＢＸのＴＤＭバス、１６、１７、１８、１９はＲＴＰパケット作成部、２０はＩＰＰＢＸの呼制御部、２１はページングＩＰ電話機、２２、２３、２４は被ページングＩＰ電話機である。
【０００６】
図２は、ＲＴＰパケット作成部１６〜１９を示すブロック図である。図２において、２５、２６はＴＤＭスイッチ、２７は受信ＶｏＩＰ（Ｖｏｉｃｅ  ｏｖｅｒ  ＩＰ）ゲートウェイ、２８は送信ＶｏＩＰゲートウェイである。
【０００７】
図３は、ＩＰ電話機を示すブロック図である。図３において、２９はＩＰ電話機のＴＤＭバス、３０、３１、３２、３３はＴＤＭスイッチ、３４は受信ＶｏＩＰゲートウェイ、３５は送信ＶｏＩＰゲートウェイ、３６はＤ／Ａコンバータ、３７はＡ／Ｄコンバータ、３８はスピーカ、３９はマイク、４０はＩＰ電話機の呼制御部である。
【０００８】
まず、図４のＩＰＰＢＸシステムにおけるＲＴＰパケット通信の呼制御について説明する。
【０００９】
ページングＩＰ電話機２１の呼制御部４０は、ＩＰＰＢＸ１４の呼制御部２０と呼設定を行ない、呼を確立する。ページングＩＰ電話機２１の呼制御部４０は、ＩＰＰＢＸ１４がページングＩＰ電話機２１の送信ＶｏＩＰゲートウェイ３５から出力されるＲＴＰパケットを受信するように設定する。ＩＰＰＢＸ１４の呼制御部２０は、ページングＩＰ電話機２１の送信ＶｏＩＰゲートウェイ３５がＩＰＰＢＸ１４のＲＴＰパケット作成部１９の受信ＶｏＩＰゲートウェイ２７に対してＲＴＰパケットを送信するように設定する。
【００１０】
ページングＩＰ電話機２１の呼制御部４０は、ＩＰＰＢＸ１４が被ページングＩＰ電話機２２〜２４に対し、一斉同報をおこなうように設定する。
【００１１】
ＩＰＰＢＸ１４の呼制御部２０は、被ページングＩＰ電話機２〜２４の呼制御部４０と呼設定を行ない、呼を確立する。
【００１２】
ＩＰＰＢＸ１４の呼制御部２０は、被ページングＩＰ電話機２２〜２４の呼制御部４０に対し、ＩＰＰＢＸ１４のＲＴＰパケット作成部１６〜１８からのＲＴＰパケットを受信するように設定する。被ページングＩＰ電話機２２〜２４の呼制御部４０は、ＩＰＰＢＸ１４のＲＴＰパケット作成部１６〜１８が被ページングＩＰ電話機２２〜２４の受信ＶｏＩＰゲートウェイ３４に対してＲＴＰパケットを送信するように、ＩＰＰＢＸ１４の呼制御部２０に対して設定する。
【００１３】
次に、図４のＩＰＰＢＸシステムにおけるＲＴＰパケット通信のデータの流れについて説明する。
【００１４】
ページングＩＰ電話機２１において、マイク３９から入力されたアナログ音声は、Ａ／Ｄコンバータ３７でデジタル音声データに変換され、ＴＤＭスイッチ３２を介してＴＤＭバス２９に出力される。ＴＤＭスイッチ３３は、該当デジタル音声データをＴＤＭバス２９から引き込み、送信ＶｏＩＰゲートウェイ３５に対して出力する。送信ＶｏＩＰゲートウェイ３５は、デジタル音声データをＲＴＰパケットに変換してＩＰＰＢＸ１４のＲＴＰパケット作成部１９の受信ＶｏＩＰゲートウェイ２７に対して送信する。
【００１５】
ＩＰＰＢＸ１４において、ＲＴＰパケット作成部１９の受信ＶｏＩＰゲートウェイ２７は、受信したＲＴＰパケットをデジタル音声データに変換してＩＰＰＢＸ１４のＴＤＭバス１５に対して出力する。ＲＴＰパケット作成部１６〜１８は、該当デジタル音声データをＴＤＭスイッチ２５を介して引き込み、送信ＶｏＩＰゲートウェイ２８でＲＴＰパケットに変換して、それぞれ被ページングＩＰ電話機２２〜２４の受信ＶｏＩＰゲートウェイ３４に対して出力する。
【００１６】
被ページングＩＰ電話機２２〜２４において、受信ＶｏＩＰゲートウェイ３４は、受信したＲＴＰパケットをデジタル音声データに変換してＩＰ電話機のＴＤＭバス２９に対して出力する。ＴＤＭスイッチ３１は、該当デジタル音声データをＩＰ電話機のＴＤＭバス２９から引き込み、Ｄ／Ａコンバータ３６でアナログ音声に変換してスピーカ３８から出力する。
【特許文献１】特開昭６３−９２５２号公報
【特許文献２】特開平６−２９９７４号公報
【発明の開示】
【発明が解決しようとする課題】
【００１７】
解決しようとする問題点は、ＩＰＰＢＸ１４側の送信ＶｏＩＰゲートウェイ２８と被ページングＩＰ電話機２２〜２４側の受信ＶｏＩＰゲートウェイ３４は一対一に対応しており、一斉同報をおこなう被ページングＩＰ電話機の台数分だけ、ＩＰＰＢＸ１４側に送信ＶｏＩＰゲートウェイ２８が必要となり、ＩＰＰＢＸ１４側がコスト高になるという点である。
【課題を解決するための手段】
【００１８】
本発明は、ＩＰＰＢＸが、ページングＩＰ電話機からの指示により、ページングＩＰ電話機から入力されるＲＴＰ音声データを第１の被ページングＩＰ電話機に対して送出することを主要な特徴とする。
【発明の効果】
【００１９】
以上のように本発明のＩＰＰＢＸシステムは、ＩＰＰＢＸが、ページングＩＰ電話機からの指示により、ページングＩＰ電話機から入力されるＲＴＰ音声データを第１の被ページングＩＰ電話機に対して送出するようにしたことにより、第１の被ページングＩＰ電話
機に入力されたＲＴＰ音声データを第１の被ページングＩＰ電話機から第２の被ページングＩＰ電話機に送出するようにすれば、ＩＰＰＢＸ側の送信ＶｏＩＰゲートウェイと被ページングＩＰ電話機側の受信ＶｏＩＰゲートウェイとは一対一に対応する必要がなくなり、その分だけＩＰＰＢＸ側の送信ＶｏＩＰゲートウェイを減らしてＩＰＰＢＸのコストを低減することができるという効果がある。
【００２０】
また、第２の被ページングＩＰ電話機に対して、第１の被ページングＩＰ電話機から入力されるＲＴＰ音声データを音声再生しつつ第３の被ページングＩＰ電話機に対して送出するようにしたことにより、さらにＩＰＰＢＸ側の送信ＶｏＩＰゲートウェイを減らしてＩＰＰＢＸのコストを低減することができるという効果がある。
【発明を実施するための最良の形態】
【００２１】
本発明は、ＩＰＰＢＸシステムとして一斉同報を被ページングＩＰ電話機台数より少ないＩＰＰＢＸ側送信ＶｏＩＰゲートウェイ数で実現するという目的を、ＩＰ電話機親機はＩＰＰＢＸから受信したＲＴＰパケットを音声再生すると同時にＲＴＰヘッダをＩＰ電話機子機宛に変更して送信するようにすることで実現した。
【００２２】
上記課題を解決するためになされた第１の発明は、第１と第２の被ページングＩＰ電話機とページング電話機とＩＰＰＢＸとを有するＩＰＰＢＸシステムであって、ＩＰＰＢＸは、ページングＩＰ電話機からの指示により、ページングＩＰ電話機から入力されるＲＴＰ音声データを第１の被ページングＩＰ電話機に対して送出することとしたものであり、第１の被ページングＩＰ電話機（例えばＩＰ電話機親機）に入力されたＲＴＰ音声データを第１の被ページングＩＰ電話機から第２の被ページングＩＰ電話機（例えばＩＰ電話機子機）に送出するようにすれば、ＩＰＰＢＸが送信ＶｏＩＰゲートウェイを減らす、すなわちＩＰＰＢＸのコストを低減してすべての被ページングＩＰ電話機に対して一斉同報を行うことができるという作用・効果を有する。
【００２３】
上記課題を解決するためになされた第２の発明は、ＩＰＰＢＸは、ページングＩＰ電話機からの指示により、第１の被ページングＩＰ電話機に対して、ＩＰＰＢＸから入力されるＲＴＰ音声データを音声再生することを指示することとしたものであり、ＩＰＰＢＸが一斉同報を行ないながら被ページングＩＰ電話機に対しＩＰＰＢＸからのＲＴＰ音声データを再生するよう制御することができるという作用・効果を有する。
【００２４】
上記課題を解決するためになされた第３の発明は、ＩＰＰＢＸは、ページングＩＰ電話機からの指示により、第１の被ページングＩＰ電話機に対して、ＩＰＰＢＸから入力されるＲＴＰ音声データを音声再生しつつ第２の被ページングＩＰ電話機に対して送出することを指示することとしたものであり、ＩＰＰＢＸが一斉同報を行ないながら被ページングＩＰ電話機に対しＩＰＰＢＸからのＲＴＰ音声データを再生しつつ他の被ページングＩＰ電話機へ中継するよう制御することができるという作用・効果を有する。
【００２５】
上記課題を解決するためになされた第４の発明は、ＩＰＰＢＸは、ページングＩＰ電話機からの指示により、第２の被ページングＩＰ電話機に対して、第１の被ページングＩＰ電話機から入力されるＲＴＰ音声データを音声再生することとしたものであり、ＩＰＰＢＸが一斉同報を行ないながら、第２の被ページングＩＰ電話機に対し、第１の被ページングＩＰ電話機からのＲＴＰ音声データを再生するよう制御することができるという作用・効果を有する。
【００２６】
上記課題を解決するためになされた第５の発明は、ＩＰＰＢＸは、ページングＩＰ電話機からの指示により、第２の被ページングＩＰ電話機に対して、第１の被ページングＩＰ電話機から入力されるＲＴＰ音声データを音声再生しつつ第３の被ページングＩＰ電話機
に対して送出することを指示することとしたものであり、ＩＰＰＢＸが一斉同報を行ないながら、被ページングＩＰ電話機（例えばＩＰ電話機子機）に対し、ある被ページングＩＰ電話機（例えばＩＰ電話機親機）からのＲＴＰ音声データを再生しつつ、他の被ページングＩＰ電話機（例えばＩＰ電話機孫機）へ中継するよう制御することができるという作用・効果を有する。
【００２７】
上記課題を解決するためになされた第６の発明は、第１の被ページングＩＰ電話機は、ＩＰＰＢＸからの指示により、ＩＰＰＢＸから入力されるＲＴＰ音声データを音声再生することとしたものであり、被ページングＩＰ電話機は、一斉同報について、ＩＰＰＢＸからのＲＴＰ音声データを再生するよう動作することができるという作用・効果を有する。
【００２８】
上記課題を解決するためになされた第７の発明は、第１の被ページングＩＰ電話機は、ＩＰＰＢＸからの指示により、ＩＰＰＢＸから入力されるＲＴＰ音声データを音声再生しつつ第２の被ページングＩＰ電話機に対して送出することとしたものであり、被ページングＩＰ電話機（例えばＩＰ電話機親機）は、一斉同報されながら、ＩＰＰＢＸからのＲＴＰ音声データを他の被ページングＩＰ電話機（例えばＩＰ電話機子機）へ中継するよう動作することができるという作用・効果を有する。
【００２９】
上記課題を解決するためになされた第８の発明は、第２の被ページングＩＰ電話機は、ＩＰＰＢＸからの指示により、第１の被ページングＩＰ電話機から入力されるＲＴＰ音声データを音声再生することとしたものであり、被ページングＩＰ電話機（例えばＩＰ電話機子機）が一斉同報についてある被ページングＩＰ電話機（例えばＩＰ電話機親機）からのＲＴＰ音声データを再生するよう動作することができるという作用・効果を有する。
【００３０】
上記課題を解決するためになされた第９の発明は、第２の被ページングＩＰ電話機は、ＩＰＰＢＸからの指示により、第１の被ページングＩＰ電話機から入力されるＲＴＰ音声データを音声再生しつつ第３の被ページングＩＰ電話機に対して送出することとしたものであり、被ページングＩＰ電話機（例えばＩＰ電話機子機）が一斉同報されながらある被ページングＩＰ電話機（例えばＩＰ電話機親機）からのＲＴＰ音声データを他の被ページングＩＰ電話機（例えばＩＰ電話機孫機）へ中継するよう動作することができるという作用・効果を有する。
【００３１】
上記課題を解決するためになされた第１０の発明は、ＩＰＰＢＸは、ＴＤＭバスと、ＴＤＭスイッチと、送信側ＶｏＩＰゲートウェイと、受信側ＶｏＩＰゲートウェイとを有することとしたものであり、ＩＰＰＢＸの送信ＶｏＩＰゲートウェイを確実に少なくしてコスト低減を図ることができると共に、すべての被ページングＩＰ電話機に対して確実に一斉同報を行うことができるという作用・効果を有する。
【００３２】
上記課題を解決するためになされた第１１の発明は、被ページングＩＰ電話機は、ＴＤＭバスと、ＴＤＭスイッチと、送信側ＶｏＩＰゲートウェイと、受信側ＶｏＩＰゲートウェイと、Ｄ／Ａコンバータと、Ａ／Ｄコンバータと、マイクと、スピーカとを有することとしたものであり、ＩＰＰＢＸの送信ＶｏＩＰゲートウェイを確実に少なくしてコスト低減を図ることができると共に、すべての被ページングＩＰ電話機に対して確実に一斉同報を行うことができるという作用・効果を有する。
【実施例】
【００３３】
（実施の形態１）
以下、本発明の実施の形態について、各図に基づいて説明する。
【００３４】
図１は、本発明によるＩＰＰＢＸシステムを示すブロック図である。図１において、１
はＩＰＰＢＸ、２はＩＰＰＢＸのＴＤＭバス、３、４、５、６はＲＴＰパケット作成部、７はＩＰＰＢＸ１の呼制御部、８はページングＩＰ電話機、９、１０、１１は被ページングＩＰ電話機親機、１２、１３は被ページングＩＰ電話機子機である。なお、ＲＴＰパケ作成部およびＩＰ電話機の構成は従来と同様、図２および図３に示す構成である。
【００３５】
まず、図１のＩＰＰＢＸシステムにおけるＲＴＰパケット通信の呼制御について説明する。
【００３６】
ページングＩＰ電話機８の呼制御部４０は、ＩＰＰＢＸ１の呼制御部７と呼設定を行ない、呼を確立する。ページングＩＰ電話機８の呼制御部４０は、ＩＰＰＢＸ１がページングＩＰ電話機８の送信ＶｏＩＰゲートウェイ３５から出力されるＲＴＰパケットを受信するように設定する。ＩＰＰＢＸ１の呼制御部７は、ページングＩＰ電話機８の送信ＶｏＩＰゲートウェイ３５がＩＰＰＢＸ１のＲＴＰパケット作成部６の受信ＶｏＩＰゲートウェイ２７に対してＲＴＰパケットを送信するように設定する。ページングＩＰ電話機８の呼制御部４０は、ＩＰＰＢＸ１が被ページングＩＰ電話機親機９〜１１、被ページングＩＰ電話機子機１２、１３に対し、一斉同報をおこなうように設定する。
【００３７】
ＩＰＰＢＸ１の呼制御部７は、被ページングＩＰ電話機親機９〜１１、被ページングＩＰ電話機子機１２、１３の呼制御部４０と呼設定を行ない、呼を確立する。ＩＰＰＢＸ１の呼制御部７は、被ページングＩＰ電話機親機９〜１１の呼制御部４０に対し、ＩＰＰＢＸ１のＲＴＰパケット作成部３〜５からのＲＴＰパケットを受信するように設定する。被ページングＩＰ電話機親機９〜１１の呼制御部４０は、ＩＰＰＢＸ１のＲＴＰパケット作成部３〜５が被ページングＩＰ電話機親機９〜１１の受信ＶｏＩＰゲートウェイ３４に対してＲＴＰパケットを送信するように、ＩＰＰＢＸ１の呼制御部７に対して設定する。
【００３８】
ＩＰＰＢＸ１の呼制御部７は、被ページングＩＰ電話機親機９、１０の呼制御部４０に対し、ＩＰＰＢＸ１のＲＴＰパケット作成部３、４からのＲＴＰパケットのデータを、被ページングＩＰ電話機子機１２、１３に転送するように設定する。被ページングＩＰ電話機子機１２、１３の呼制御部４０は、被ページングＩＰ電話機親機９、１０の送信ＶｏＩＰゲートウェイ３５が被ページングＩＰ電話機子機１２、１３の受信ＶｏＩＰゲートウェイ３４に対してＲＴＰパケットを送信するように、ＩＰＰＢＸ１の呼制御部７に対して設定する。
【００３９】
このように、ＩＰＰＢＸ１がマスターとなって、スレーブとしての被ページングＩＰ電話機親機９〜１１及び被ページングＩＰ電話機子機１２、１３のＲＴＰパケットの送受信先のＳＤＰ（Ｓｅｓｓｉｏｎ  Ｄｅｓｃｒｉｐｔｉｏｎ  Ｐｒｏｔｏｃｏｌ）情報をＭＧＣＰ（Ｍｅｄｉａ  Ｇａｔｅｗａｙ  Ｃｏｎｔｒｏｌ  Ｐｒｏｔｏｃｏｌ）等のマスター＝スレーブ型の呼制御プロトコルによって指定することにより、呼ごとにページンググループの組み合わせを変更可能にするとともに、呼確立中であっても変更可能となる。この際、ＩＰＰＢＸ１から出力されるＲＴＰパケットの中に被ページング側のＩＰ電話機子機１２、１３の情報は含まれておらず、通常の音声通信で、ＩＰ電話機親機９〜１１とやりとりされるＲＴＰパケットと全く同じである。このことは、（特許文献２）との違いである。
【００４０】
次に、図１のＩＰＰＢＸシステムにおけるＲＴＰパケット通信のデータの流れについて説明する。
【００４１】
ページングＩＰ電話機８において、マイク３９から入力されたアナログ音声は、Ａ／Ｄコンバータ３７でデジタル音声データに変換され、ＴＤＭスイッチ３２を介してＴＤＭバス２９に出力される。ＴＤＭスイッチ３３は、該当デジタル音声データをＴＤＭバス２９
から引き込み、送信ＶｏＩＰゲートウェイ３５に対して出力する。送信ＶｏＩＰゲートウェイ３５は、デジタル音声データをＲＴＰパケットに変換してＩＰＰＢＸ１のＲＴＰパケット作成部６の受信ＶｏＩＰゲートウェイ２７に対して送信する。
【００４２】
ＩＰＰＢＸ１において、ＲＴＰパケット作成部６の受信ＶｏＩＰゲートウェイ２７は、受信したＲＴＰパケットをデジタル音声データに変換してＩＰＰＢＸ１のＴＤＭバス２に対して出力する。ＲＴＰパケット作成部３〜５は、該当デジタル音声データをＴＤＭスイッチ２５を介して引き込み、送信ＶｏＩＰゲートウェイ２８でＲＴＰパケットに変換して、それぞれ被ページングＩＰ電話機親機９〜１１の受信ＶｏＩＰゲートウェイ３４に対して出力する。
【００４３】
被ページングＩＰ電話機親機９〜１１において、受信ＶｏＩＰゲートウェイ３４は、受信したＲＴＰパケットをデジタル音声データに変換してＩＰ電話機のＴＤＭバス２９に対して出力する。ＴＤＭスイッチ３１は、該当デジタル音声データをＩＰ電話機のＴＤＭバス２９から引き込み、Ｄ／Ａコンバータ３６でアナログ音声に変換してスピーカ３８から出力する。同時に送信ＶｏＩＰゲートウェイ３５は、該当デジタル音声データをＩＰ電話機のＴＤＭバス２９からＴＤＭスイッチ３３を介して引き込み、ＲＴＰパケットに変換して、被ページングＩＰ電話機親機９は被ページングＩＰ電話機子機１２の受信ＶｏＩＰゲートウェイ３４に対し、被ページングＩＰ電話機親機１０は被ページングＩＰ電話機子機１３の受信ＶｏＩＰゲートウェイ３４に対し、それぞれ出力する。
【００４４】
被ページングＩＰ電話機子機１２及び１３において、受信ＶｏＩＰゲートウェイ３４は、受信したＲＴＰパケットをデジタル音声データに変換してＩＰ電話機のＴＤＭバス２９に対して出力する。ＴＤＭスイッチ３１は、該当デジタル音声データをＩＰ電話機のＴＤＭバス２９から引き込み、Ｄ／Ａコンバータ３６でアナログ音声に変換してスピーカ３８から出力する。
【００４５】
以上の説明から明らかなように、本発明によるＩＰＰＢＸシステムでは、ＩＰＰＢＸ１内蔵のＲＴＰパケット作成部の数（ここでは３）以上の被ページングＩＰ電話機９〜１３に対し、一斉同報をおこなうことが可能になる。通常ＩＰ電話機は、受信側と送信側のＶｏＩＰゲートウェイを備え、合わせて１チャネルのＶｏＩＰゲートウェイを保持しているため、ＲＴＰパケット転送動作をおこなってもＩＰ電話機側の追加コストはほとんど発生せず、ＩＰＰＢＸ本体側のＲＴＰパケット作成部のコストを大幅に削減することができ、ＩＰＰＢＸシステムとしてもコスト削減が可能となる。
【産業上の利用可能性】
【００４６】
本発明は、ＩＰ網でＲＴＰパケット通信を行うＩＰＰＢＸシステムに関し、一斉同報を低コストで実現できる。
【図面の簡単な説明】
【００４７】
【図１】本発明によるＩＰＰＢＸシステムを示すブロック図
【図２】ＲＴＰパケット作成部を示すブロック図
【図３】ＩＰ電話機を示すブロック図
【図４】従来のＩＰＰＢＸシステムを示すブロック図
【符号の説明】
【００４８】
１    ＩＰＰＢＸ
２、２９    ＴＤＭバス
３、４、５、６    ＲＴＰパケット作成部
７、４０    呼制御部
８    ページングＩＰ電話機
９、１０、１１    被ページングＩＰ電話機親機
１２、１３    被ページングＩＰ電話機子機
２５、２６、３０、３１、３２、３３    ＴＤＭスイッチ
２７、３４    受信ＶｏＩＰゲートウェイ
２８、３５    送信ＶｏＩＰゲートウェイ
３６    Ｄ／Ａコンバータ
３７    Ａ／Ｄコンバータ
３８    スピーカ
３９    マイク
【図１】
2007134861.tif 000003
【図２】
2007134861.tif 000004
【図３】
2007134861.tif 000005
【図４】
2007134861.tif 000006